(57)【要約】【課題】持ち手を変えることなく自分撮りを可能とし且つ表示画面サイズを大きくとる。【解決手段】表示画面４及びシャッタボタン５Ａを主筐体２に配置する一方で、撮像素子２２及び光学系を有する撮像ユニットを副筐体３に配置し、副筐体３を主筐体２に対して回転可能なように両者を連結する。表示画面４から見て前方に位置する物体を撮影領域に収める正面撮り姿勢と、表示画面４から見て後方に位置する物体（撮影者含む）を撮影領域に収める背面撮り姿勢との間で、副筐体３の姿勢を変更可能である。正面撮り姿勢において光軸ＡＸOPTの延長線ＡＸOPT’が表示画面４と交差するようにカメラ１が形成されている。【選択図】図７
2014107735.tif 000002
【特許請求の範囲】
【請求項１】
表示画面及び撮影指示を受ける操作部材が設けられた主筐体と、
撮像素子及び光学系が設けられた副筐体と、を備え、
前記表示画面に平行な軸を回転軸として前記副筐体が前記主筐体に対し回転可能なように前記主筐体及び前記副筐体が連結された撮像装置であって、
前記主筐体に対する前記副筐体の姿勢は、前記回転を介し、前記表示画面から見て第１方向に位置する物体を撮影領域に収める第１姿勢と、前記表示画面から見て前記第１方向とは逆の第２方向に位置する物体を撮影領域に収める第２姿勢との間で変更可能であり、
前記第１姿勢において、当該撮像装置の光軸の延長線は、前記表示画面と交差する
ことを特徴とする撮像装置。
【請求項２】
表示画面及び撮影指示を受ける操作部材が設けられた主筐体と、
撮像素子及び光学系が設けられた副筐体と、を備え、
前記表示画面に平行な軸を回転軸として前記副筐体が前記主筐体に対し回転可能なように前記主筐体及び前記副筐体が連結された撮像装置であって、
前記主筐体に対する前記副筐体の姿勢は、前記回転を介し、前記表示画面から見て第１方向に位置する物体を撮影領域に収める第１姿勢と、前記表示画面から見て前記第１方向とは逆の第２方向に位置する物体を撮影領域に収める第２姿勢との間で変更可能であり、
前記第１姿勢において、前記副筐体の重心を通り且つ前記表示画面に垂直な線は、前記表示画面と交差する
ことを特徴とする撮像装置。
【請求項３】
前記副筐体に発光部を設けた
ことを特徴とする請求項１又は請求項２に記載の撮像装置。
【請求項４】
前記発光部を制御する発光制御部を更に備え、
前記発光制御部は、前記発光部の全体を発光させる全発光又は前記発光部の一部のみを発光させる部分発光を選択的に実行する
ことを特徴とする請求項３に記載の撮像装置。
【請求項５】
前記発光制御部は、前記副筐体の姿勢が前記第２姿勢であるとき、前記部分発光を実行する
ことを特徴とする請求項４に記載の撮像装置。
【請求項６】
前記発光制御部は、前記副筐体の姿勢が前記第２姿勢であるとき、まず前記部分発光を実行し、その後において前記撮影指示を前記操作部材にて受けた際、前記全発光を実行する
ことを特徴とする請求項５に記載の撮像装置。
【発明の詳細な説明】
【技術分野】
【０００１】
本発明は、撮像装置に関する。
【背景技術】
【０００２】
撮影者自身を撮影する所謂自分撮りの支援機能を有するデジタルカメラが市販されている（例えば、非特許文献１参照）。図１８（ａ）に、この種のカメラ９００の外観斜視図を示す。カメラ９００では、主筐体９０１に、シャッタボタン９０２、操作ボタン群９０３及び表示画面９０４が取りつけられている。撮影者は、カメラ９００の右側部分を右手で持つことでカメラ９００を支持する。この状態で、撮影者は、通常、主筐体９０１の上面右側に設けられたシャッタボタン９０２を右手の指（例えば人差し指）にて押すことで静止画像の撮影指示をカメラ９００に与えることができ、主筐体９０１の背面（後面）に設けられた操作ボタン群９０３中の各ボタンを右手の指（例えば親指）で押すことで各種設定指示をカメラ９００に与えることができる。表示画面９０４にはカメラ１の撮影領域内の画像が表示され、撮影者は表示画面９０４を見ることで撮影構図を確認できる。
【０００３】
図１８（ｂ）に示す如く、カメラ９００では、主筐体９０１に対して表示画面９０４の部分が回転可能となっている。図１８（ａ）の状態を基準として表示画面９０４を１８０°回転させたときのカメラ９００の正面図を図１９に示す。図１９の状態において、撮影者は、自身をカメラ９００の撮影領域内に収めつつ、表示画面９０４を見ることが可能である。このため、表示画面９０４にて撮影構図を確認しながら、所謂自分撮りを行うことができる。図１９の状態において、撮影者は、左手でカメラ９００を支持し、左手の指（例えば人差し指）でシャッタボタン９０２の押下操作を行う。
【０００４】
また、図２０（ａ）及び（ｂ）に示すようなカメラ９２０も提案されている（例えば下記特許文献１参照）。カメラ９２０では、表示画面９２３の上方に、撮影レンズ９２２を有する回転撮像ユニット９２１が回転自在に取り付けられている。撮影レンズ９２２を撮影者側に向けることで、表示画面９２３にて撮影構図を確認しながら自分撮りを行うことができる。カメラ９２０に類似する構造が特許文献２にも示されている。
【先行技術文献】
【特許文献】
【０００５】
【特許文献１】特開２００８−４８３４８号公報
【特許文献２】特開２００６−１０１３７２号公報
【非特許文献】
【０００６】
【非特許文献１】カシオ、エクシリムカタログ、“EX-ZR1000”、［ｏｎｌｉｎｅ］、平成２４年１０月、［平成２４年１１月１２日検索］、インターネット＜URL：http://casio.jp/dc/products/ex_zr1000＞
【発明の概要】
【発明が解決しようとする課題】
【０００７】
上述のカメラ９００において、撮影者に対向する被写体を撮影可能な状態から、撮影者自身を撮影可能な状態に移行する際、撮影者はカメラ９００の持ち方を変える必要がある（図１８（ａ）から図１９への変更）。カメラ９００の持ち方を変えること自体、手間がかかる。また、自分撮りを行うべくカメラ９００の持ち方を変えると（図１８（ａ）から図１９への変更）、操作ボタン群９０３に対する操作も難しくなる。
【０００８】
これを考慮し、図２０（ａ）及び（ｂ）のような構造の採用が検討される。図２０（ａ）及び（ｂ）の構造によれば、上記移行に際してカメラ９２０の持ち方変更は不要になる。しかしながら、図２０（ａ）及び（ｂ）の構造では、撮像ユニット９２１の回転機構の存在により、表示画面９２３の設置位置やサイズに大きな制約が加わる。
【０００９】
そこで本発明は、撮影方向の変更に際して持ち方の変更を必要とせず且つ表示画面の設置制約を緩和可能な撮像装置を提供することを目的とする。
【課題を解決するための手段】
【００１０】
本発明に係る撮像装置は、表示画面及び撮影指示を受ける操作部材が設けられた主筐体と、撮像素子及び光学系が設けられた副筐体と、を備え、前記表示画面に平行な軸を回転軸として前記副筐体が前記主筐体に対し回転可能なように前記主筐体及び前記副筐体が連結された撮像装置であって、前記主筐体に対する前記副筐体の姿勢は、前記回転を介し、前記表示画面から見て第１方向に位置する物体を撮影領域に収める第１姿勢と、前記表示画面から見て前記第１方向とは逆の第２方向に位置する物体を撮影領域に収める第２姿勢との間で変更可能であり、前記第１姿勢において、当該撮像装置の光軸の延長線は、前記表示画面と交差することを特徴とする。
【００１１】
本発明に係る他の撮像装置は、表示画面及び撮影指示を受ける操作部材が設けられた主筐体と、撮像素子及び光学系が設けられた副筐体と、を備え、前記表示画面に平行な軸を回転軸として前記副筐体が前記主筐体に対し回転可能なように前記主筐体及び前記副筐体が連結された撮像装置であって、前記主筐体に対する前記副筐体の姿勢は、前記回転を介し、前記表示画面から見て第１方向に位置する物体を撮影領域に収める第１姿勢と、前記表示画面から見て前記第１方向とは逆の第２方向に位置する物体を撮影領域に収める第２姿勢との間で変更可能であり、前記第１姿勢において、前記副筐体の重心を通り且つ前記表示画面に垂直な線は、前記表示画面と交差することを特徴とする。
【００１２】
表示画面及び操作部材が設けられた主筐体に対し撮像素子及び光学系が設けられた副筐体を回転可能とする構成を採用することにより、撮影方向を変更すべく副筐体の姿勢を変化させたとしても撮像装置の持ち方を変更する必要が無い。更に、第１姿勢において撮像装置の光軸の延長線が表示画面と交差するような構造を採用することにより、又は、第１姿勢において副筐体の重心を通り且つ表示画面に垂直な線が表示画面と交差するような構造を採用することにより、回転機構の存在による表示画面の設置制約は少ない又は無い。
【発明の効果】
【００１３】
本発明によれば、撮影方向の変更に際して持ち方の変更を必要とせず且つ表示画面の設置制約を緩和可能な撮像装置を提供することが可能である。
【図面の簡単な説明】
【００１４】
【図１】本発明の第１実施形態に係り、斜め正面から見たカメラの概略外観図である。
【図２】本発明の第１実施形態に係り、斜め後方から見たカメラの概略外観図である。
【図３】本発明の第１実施形態に係り、上方から見たカメラの外観平面図である。
【図４】本発明の第１実施形態に係るカメラの分解図である。
【図５】カメラの表示画面とＸＹ座標面との関係を示す図である。
【図６】カメラの電気的構成を示すブロック図である。
【図７】本発明の第１実施形態に係り、３つの回転角におけるカメラの側面図である。
【図８】副筐体が主筐体に対して回転される様子を示す図である。
【図９】背面撮り姿勢におけるカメラの外観斜視図である。
【図１０】本発明の第１実施形態に係り、正面撮り姿勢におけるカメラの持ち方を示す図（ａ）と、背面撮り姿勢におけるカメラの持ち方を示す図（ｂ）である。
【図１１】本発明の第１実施形態に係り、光軸とＸＹ座標面（表示画面）との交点を示す図である。
【図１２】発光部を明示した、正面撮り姿勢におけるカメラの外観斜視図である。
【図１３】発光部を明示した、背面撮り姿勢におけるカメラの外観斜視図である。
【図１４】視線誘導部分発光を実行したときの、背面撮り姿勢におけるカメラの外観斜視図である。
【図１５】本発明の第２実施形態に係るカメラを上方から見た平面図である。
【図１６】本発明の第２実施形態に係り、３つの回転角におけるカメラの側面図である。
【図１７】本発明の第２実施形態に係り、所定の線とＸＹ座標面（表示画面）との交点を示す図である。
【図１８】従来のカメラの構造を示す図である。
【図１９】従来のカメラの構造を示す図である。
【図２０】従来の他のカメラの構造を示す図である。
【発明を実施するための形態】
【００１５】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１６】
＜＜第１実施形態＞＞
本発明の第１実施形態を説明する。図１及び図２は、斜め正面及び斜め後方から見た、本発明の第１実施形態に係るカメラ（撮像装置）１の概略外観図である。カメラ１は、静止画像のみを撮影及び記録可能なデジタルスチルカメラ、又は、静止画像及び動画像を撮影及び記録可能なデジタルビデオカメラである。図３は、上方から見た、カメラ１の外観平面図である。図４は、カメラ１の分解図である。カメラ１は、主筐体２と副筐体３を連結することで形成される。
【００１７】
主筐体２には、液晶ディスプレイ等から成る表示画面４が嵌め込まれ且つ固定されている。二次元平面としての表示画面４の中心における表示画面４の法線上に、ユーザ３００の視点（例えばユーザ３００の両眼の中心）が存在するものとする（図３参照）。ユーザ３００は、カメラ１を用いて撮影を行う撮影者である。以下の説明において、手、指とは、ユーザ３００の手、指を指す。ユーザ３００の視野の中心に表示画面４の中心が位置し、ユーザ３００は表示画面４の表示内容を視認するものとする。本明細書において、上、下、左及び右は、ユーザ３００から見た上、下、左及び右を指す。左右方向は表示画面４の水平方向と一致し、上下方向は表示画面４の垂直方向と一致する。ユーザ３００の視点から表示画面４の中心に向かう方向を前方向と定義し、前方向と逆の方向を後方向と定義する。また、図５に示すＸＹ座標面を定義する。ＸＹ座標面は、左右方向に平行なＸ軸と上下方向に平行なＹ軸を座標軸として持ち、Ｘ軸及びＹ軸は原点Ｏにて直交する。表示画面４はＸＹ座標面に平行であり、原点Ｏは表示画面４の中心と一致していると考える。
【００１８】
主筐体２は、概ね直方体形状を有している。主筐体２の形状としての直方体は、主筐体２の重心より左、右、上、下、前、後に位置する左面、右面、上面、下面、前面、後面にて形成される。主筐体２において、前面には後方に向かって窪んだ窪み部１１（図４参照）が形成されている。図１〜図３に対応する正面撮り姿勢においては、当該窪み部１１に副筐体３が嵌まり込む（正面撮り姿勢については後に詳説）。窪み部１１の右側に隣接する、主筐体２の肉部３１２を、カメラ１のグリップとして機能させることができる。典型的には、ユーザ３００は、右手の指を当該グリップにおいて、右手のみ又は両手にてカメラ１を持つ。このようにカメラ１を手で持った状態を、便宜上、通常カメラ把持状態と呼ぶ。通常カメラ把持状態で、ユーザ３００は、主筐体２の上面に設けられたシャッタボタン５Ａを右手の指（例えば人差し指）にて押すことができる。シャッタボタン５Ａは、主筐体２の上面における右側よりの位置にて、主筐体２に固定及び支持される。
【００１９】
主筐体２の後面には、表示画面４が設置されると共に１以上のボタンから成る操作ボタン群５Ｂが設置されている。通常カメラ把持状態で、ユーザ３００は、右手の指（例えば親指）で操作ボタン群５Ｂ中の各ボタンを押すことができ、操作ボタン群５Ｂ中の各ボタンを押すことで各種設定指示をカメラ１に与えることができる。操作ボタン群５Ｂ中の幾つかのボタンは、主筐体２の上面に設けられていても良い。
【００２０】
窪み部１１よりも若干大きさの小さい概略直方体形状の筐体に、鏡筒６を取りつけることで副筐体３が形成される。図４において、一点鎖線にて示された軸ＡＸOPTは、カメラ１における光軸（換言すれば、後述の光学系２１における光軸）であり、前後方向に伸びている。鏡筒６は副筐体３の前面から前方向に突出している。
【００２１】
図４において、破線の線分にて示された軸１３は、窪み部１１内の上部に存在する、左右方向に沿って伸びる軸である（従って、軸１３は表示画面４に平行である）。軸１３を回転軸として副筐体３が主筐体２に対し回転可能なように（後述の図８及び図９参照）、副筐体３は主筐体２に連結される。特に図示しないが、カメラ１の構成要素に含まれる、当該連結を担う連結機構部を、ヒンジ等にて形成することができる。図４に示される面１４は、窪み部１１及び肉部１２の境界に位置する、ＸＹ座標面に直交する面である。
【００２２】
図６は、カメラ１の電気的構成を示すブロック図である。カメラ１は、表示画面４及び操作部５を備えると共に、符号２０〜２５によって参照される各部位を備える。撮像ユニット２０は、ズームレンズ及びフォーカスレンズ等を含む複数枚のレンズから形成される光学系２１、及び、ＣＣＤ（Charge Coupled Device）又はＣＭＯＳ（Complementary Metal Oxide Semiconductor）イメージセンサなどから成る撮像素子２２を有し、被写体の撮影を行う。撮像ユニット２０の撮影領域内の被写体からの光が光学系２１を介して撮像素子２２に入射することにより、撮像素子２２の撮像面に被写体の光学像が結像し、当該光学像を示す信号が撮像素子２２から出力される。主制御部２３は、信号処理回路、ＣＰＵ（Central Processing Unit）、ＲＯＭ(Read Only Memory)及びＲＡＭ（Random Access Memory）等にて形成され、カメラ１内の各部位の動作を統括的に制御する。また、主制御部２３は、撮像素子２２の出力信号に所定の信号処理を施すことで撮影画像の画像データを生成する。撮影画像とは、撮像素子２２の出力信号に基づく、撮像ユニット２０によって撮影された画像である。記録媒体２４は、半導体メモリや磁気ディスク等の不揮発性メモリであり、主制御部２３による制御の下、撮影画像の画像データ等を記録する。
【００２３】
操作部５は、静止画像の撮影指示を受けるシャッタボタン（操作部材）５Ａ及び各種設定操作を受ける操作ボタン群５Ｂから成る。本実施形態では、操作部５を形成する各操作部材がボタンであることを想定しているが、ダイヤルやレバー等の操作部材を用いて操作部５が形成されていても良いし、タッチパネルが操作部５に含まれていても良い。撮影モードにおいて、撮像ユニット２０は、所定のフレーム周期にて周期的に被写体の仮撮影を行い、仮撮影によって順次得られる画像は動画像として表示画面４に表示される。ユーザ３００がシャッタボタン５Ａを押し下げる操作は、静止画像の撮影指示の入力に相当する。撮影モードにおいてユーザ３００がシャッタボタン５Ａを押し下げると、カメラ１にて本撮影が行われる。本撮影では、撮像ユニット２０にて１枚以上の静止画像が撮影され、当該１枚以上の静止画像の画像データが記録媒体２４に記録される（仮撮影にて得られる画像は記録媒体２４に記録されない）。
【００２４】
撮像ユニット２０は副筐体３に収容及び固定され、表示画面４及び操作部５は主筐体２に収容及び固定されている。主制御部２３及び記録媒体２４は主筐体２に配置されるが、主制御部２３及び／又は記録媒体２４を副筐体３に配置することも可能である。発光部２５については後述する。
【００２５】
図７（ａ）〜（ｃ）、図８及び図９を参照して、主筐体２に対する副筐体３の回転運動を説明する（図２等も参照）。便宜上、図４の回転軸１３周りの副筐体３の回転角を記号θにて表す。回転角θが０°であるときの、主筐体２に対する副筐体３の姿勢を正面撮り姿勢と呼び、回転角θが１８０°であるときの、主筐体２に対する副筐体３の姿勢を背面撮り姿勢と呼ぶ。図７（ａ）〜（ｃ）は、カメラ１を左側から見たときの、カメラ１の側面図である。但し、図７（ａ）〜（ｃ）は、夫々、θ＝０°、θ＝１３５°、θ＝１８０°である時の側面図である。尚、図７（ｂ）及び（ｃ）では、面１４をドット領域にて示している（後述の図１６においても同様；図４も参照）。図８及び図９は、夫々、θ＝１３５°、θ＝１８０°である時の、カメラ１の外観斜視図である。一点鎖線で示される光軸ＡＸOPTは、撮影領域内の被写体から撮像素子２２に至るまでの光路の軸であり、破線ＡＸOPT’は、撮像素子２２を起点として光軸ＡＸOPTを延長した線である。但し、線ＡＸOPT’は光軸ＡＸOPTの一部である、という考えもとることができる。
【００２６】
ユーザ３００は、回転角θを０°から１８０°の間で自由に変更することができる。即ち、主筐体２に対する副筐体３の姿勢は、回転軸１３周りの副筐体３の回転を介し、正面撮り姿勢と背面撮り姿勢との間で変更可能である。当然、撮像ユニット２０の撮影領域（以下、単に撮影領域とも言う）は、回転角θに依存して変化し、正面撮り姿勢及び背面撮り姿勢間で互いに異なる。正面撮り姿勢では、表示画面４から見て前方向に位置する物体が被写体として撮影領域に収まる。従って、正面撮り姿勢では、ユーザ３００及び表示画面４の前方に位置する被写体を撮影することができる。背面撮り姿勢では、表示画面４から見て後方向に位置する物体が被写体として撮影領域に収まる。従って、背面撮り姿勢では、表示画面４の後方に位置する被写体（例えばユーザ３００自身）を撮影することができ、所謂自分撮りが可能である。
【００２７】
主制御部２３は、回転角θを検出する回転角検出部（不図示）を有する。回転角検出部（不図示）は、少なくとも、回転角θが０°であるか否か又は１８０°であるか否かを検出することができる。主制御部２３は、回転角θが０°であるとき、撮像ユニット２０の撮影画像をそのまま表示画面４及び記録媒体２４に出力するが、回転角θが１８０°であるときには、撮像ユニット２０の撮影画像を上下反転させ、反転後の画像を表示画面４及び記録媒体２４に出力する。
【００２８】
上述したように、図１８（ａ）等に示すカメラ９００では、表示画面９０４を回転させる構成を採用しているため、自分撮りの際にカメラ９００の持ち方を変える必要がある。一方、本実施形態では、表示画面４及び操作部５が設けられた主筐体２に対して撮像ユニット２０を収容する副筐体３を回転させる構成を採用している。このため、回転角θが変化したとしても、カメラ１の持ち方を変える必要がない。即ち、図１０（ａ）及び（ｂ）に示す如く、正面撮り姿勢にて撮影を行う場合も、背景撮り姿勢にて撮影を行う場合にも、上記の通常カメラ把持状態を維持することができる。カメラ１の持ち方を変える必要がなければ、その分、ユーザ３００の手間が省けると共に、撮影方向の変更を素早く行うことができる（結果、シャッタチャンスの逸失も抑制される）。また、カメラ１の持ち方を変える必要がないため、正面撮り姿勢でも背面撮り姿勢でも、ユーザ３００は、シャッタボタン５Ａを用いた撮影指示操作及び操作ボタン群５Ｂを用いた設定指示操作を容易に行うことができる。
【００２９】
正面撮り姿勢では副筐体３を窪み部１１に収容する一方で背面撮り姿勢では副筐体３を窪み部１１の上方に展開して窪み部１１の外に出す構造を、カメラ１に採用している。この構造に関連し、図７（ａ）に示す如く、正面撮り姿勢において、光軸ＡＸOPTは表示画面４に対して垂直であり、光軸ＡＸOPTの延長線ＡＸOPT’は表示画面４と交差する。図７（ｃ）に示す如く、背面撮り姿勢では、光軸ＡＸOPTの延長線ＡＸOPT’は表示画面４と交差しない。図１１における点３１０は、正面撮り姿勢において、光軸ＡＸOPTの延長線ＡＸOPT’上に存在する、表示画面４上の点の例（延長線ＡＸOPT’と表示画面４の交点の例）である。図２０（ａ）及び（ｂ）のカメラ９２０とは異なる、このような構造を採用することで、回転機構の存在による、表示画面４への制約（設置位置やサイズに対する制約）は少なくて済む又は無くなる。例えば、カメラ９２０との比較において、カメラ１では表示画面のサイズを大きくとることができる。
【００３０】
次に、図６に示した発光部２５について説明する。主筐体２に発光部を設けておくことも可能であるが、ここでは、副筐体３に設置された発光部２５を説明する。図１２、図１３に、発光部２５を斜線部として明示した、正面撮り姿勢、背面撮り姿勢におけるカメラ１の外観斜視図を示す。発光部２５は、発光制御部としての機能を持つ主制御部２３の制御の下、照明光を撮影領域内の被写体に照射する。発光部２５は、副筐体３に設置されているため、背面撮り姿勢においても、撮影領域内の被写体を照らすことができる（正面撮り姿勢において発光部２５を発光させることも可能である）。発光部２５を構成する光源の種類及び発光部２５の設置位置は任意であるが、ここでは、光学系２１を構成するレンズを収容した鏡筒６の前面に、ＬＥＤ（Light Emitting Diode）から成る発光部２５が設けられているものとする。
【００３１】
光軸ＡＸOPTに直交する断面による鏡筒６の断面形状は、リング形状である。これと同様、光軸ＡＸOPTに直交する断面による発光部２５の断面形状も、リング形状である。例えば、それらのリング形状は、光軸ＡＸOPTを中心とした同心円の関係にある。
【００３２】
カメラ１は、発光部２５を用いて様々な照明環境を提供することができる。例えば、主制御部２３は、特に背面撮り姿勢において、発光部２５からの光の強さ及び色を様々に制御及び変更することができると共に、発光部２５の発光タイミングを任意に制御することができる。
【００３３】
発光部２５を１つのＬＥＤにて形成することも可能であるが、ここでは、発光部２５が複数のＬＥＤにて構成されているものとする。当該複数のＬＥＤは上記リング形状に沿って分散配置される。主制御部２３は、発光部２５を形成する全ＬＥＤを同時に発光させることで発光部２５の全体を発光させる全発光、又は、複数のＬＥＤの一部のみを発光させることで発光部２５の一部のみを発光させる部分発光を、選択的に実行できる。主制御部２３は、副筐体３の姿勢に応じて全発光又は部分発光の選択的実行を行っても良い。例えば、主制御部２３は、副筐体３の姿勢が正面撮り姿勢であるときには全発光を実行し、副筐体３の姿勢が背面撮り姿勢であるときには部分発光を実行しても良い。
【００３４】
比較的強い照明光を被写体に照射する必要があるときには全発光を用い、自分撮り時の視線誘導のために部分発光を用いる、といった利用形態が有益である。自分撮り時の視線誘導について説明する。背面撮り姿勢においてユーザ３００自身を撮影する際、ユーザ３００が表示画面４を見ている状態でシャッタボタン５Ａを操作すると、ユーザ３００の視線が光軸ＡＸOPTから大きくずれ、結果、被写体（ユーザ）３００が斜めを向いたような撮影画像が得られる。また、被写体としてのユーザ３００が鏡筒６の中心を見た状態でシャッタボタン５Ａを操作した場合でも、被写体（ユーザ）３００が斜めを向いたような撮影画像が得られることがある。背面撮り姿勢では、表示画面４に正対するユーザ３００に対して、上方にずれた位置に光軸ＡＸOPTが存在しているためである。
【００３５】
これを考慮し、主制御部２３は、副筐体３の姿勢が背面撮り姿勢であるとき、上記部分発光の一種である視線誘導部分発光を行うことができる。視線誘導部分発光では、複数のＬＥＤの内の特定ＬＥＤのみを発光させることで発光部２５の一部のみが発光せしめられる。図１４は、背面撮り姿勢において、視線誘導部分発光が行われているときのカメラ１の外観斜視図である。図１４において、黒丸３３０は、特定ＬＥＤから光が発せられている部分を表す。ユーザ３００は、自分撮りを行う際、発光している特定ＬＥＤを見るように誘導される。従って、特定ＬＥＤの位置を適切に設定して視線誘導部分発光を実行すれば、自分撮りにおける視線方向を適切なものに誘導することができる。自分撮りにおける視線方向として、どのような視線方向が適切であるかについて、明確な決まりはない。しかしながら、撮影画像の面に直交するような視線方向が好まれることが多い。故に例えば、ユーザ３００が特定ＬＥＤを見ている状態において撮影画像上のユーザ３００の視線が撮影画像の面に概ね直交するように、特定ＬＥＤの位置を予め設定しておくと良い。
【００３６】
背面撮り姿勢において、主制御部２３は、まず視線誘導部分発光を実行し、その後においてシャッタボタン５Ａが押下されたとき（即ち、静止画像の撮影指示を受けたとき）、全発光を行うようにしても良い。当該全発光が行われているときに得られる撮影画像が、シャッタボタン５Ａの押下操作に応答した撮影画像として記録媒体２４に記録される。これにより、視線方向が適切に誘導された、明るい自分撮り画像を取得することが可能となる。
【００３７】
＜＜第２実施形態＞＞
本発明の第２実施形態を説明する。第１実施形態におけるカメラ１では、被写体からの入射光が光学系２１内で屈曲することなく撮像素子２２に入射することを想定しているが、光学系２１として屈曲光学系が採用されても良い。第２実施形態では、光学系２１として屈曲光学系が採用されたカメラ１ａを説明する。光学系２１に屈曲光学系が採用されているか否か、及び、以下に示す内容を除き、カメラ１及び１ａ間でカメラの構成は同様であり、矛盾無き限り、第１実施形態の記載が第２実施形態のカメラ１ａにも適用される。
【００３８】
図１５は、正面撮り姿勢におけるカメラ１ａを上方から見た平面図である。図１６（ａ）〜（ｃ）は、カメラ１ａを左側から見たときの、カメラ１ａの側面図である。但し、図１６（ａ）〜（ｃ）は、夫々、θ＝０°、θ＝１３５°、θ＝１８０°である時の側面図である。第２実施形態では、副筐体３の中央から偏った部分（例えば副筐体３の前面の左上隅に近い位置）に鏡筒６が設けられる。図１５等では、鏡筒６が副筐体３から突出するように示されているが鏡筒６は副筐体３内に収容されていても良い（第１実施形態においても同様）。被写体から撮像素子２２へ向かう光軸（換言すれば光路）は、光学系２１内の屈曲用光学部材（ミラー又はプリズム）２３によって光学系２１内で折り曲げられる。図１５において、軸ＡＸOPT1は被写体及び屈曲用光学部材２３間の光軸であり、軸ＡＸOPT2は屈曲用光学部材２３及び撮像素子２２間の光軸である。軸ＡＸOPT1及びＡＸOPT2によって光軸ＡＸOPTの全体が形成される。尚、光学系２１内で光軸ＡＸOPTが２回以上屈曲されていても良い。
【００３９】
光軸ＡＸOPTの一部である軸ＡＸOPT1は表示画面４に直交する方向に伸びているが、光軸ＡＸOPTの他の一部である軸ＡＸOPT2は表示画面４に直交する方向に伸びていない（図１５の例では、表示画面４に平行な方向に伸びている）。但し、カメラ１と同様、正面撮り姿勢では副筐体３を窪み部１１に収容する一方で背面撮り姿勢では副筐体３を窪み部１１の上方に展開して窪み部１１の外に出す構造が、カメラ１ａにも採用されている。この構造に関連し、カメラ１でもカメラ１ａでも、正面撮り姿勢において、副筐体３の重心を通り且つ表示画面４に垂直な線４００は表示画面４と交差する（図１６（ａ）参照）。カメラ１でもカメラ１ａでも、背面撮り姿勢では、線４００は表示画面４と交差しない（図１６（ｃ）参照）。図１７における点４１０は、正面撮り姿勢において、線４００上に存在する、表示画面４上の点の例（線４００と表示画面４の交点の例）である。このような構造を採用することで、第１実施形態と同様、回転機構の存在による、表示画面４への制約（設置位置やサイズに対する制約）は少なくて済む又は無くなる。例えば、カメラ９２０との比較において、カメラ１ａでは表示画面のサイズを大きくとることができる。
【００４０】
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。
【符号の説明】
【００４１】
１、１ａ  カメラ
２  主筐体
３  副筐体
４  表示画面
５Ａ、シャッタボタン
５Ｂ  操作ボタン群
６  鏡筒
２０  撮像ユニット
２１  光学系
２２  撮像素子
２３  主制御部
２５  発光部
ＡＸOPT  光軸
【図１】
2014107735.tif 000003
【図２】
2014107735.tif 000004
【図３】
2014107735.tif 000005
【図４】
2014107735.tif 000006
【図５】
2014107735.tif 000007
【図６】
2014107735.tif 000008
【図７】
2014107735.tif 000009
【図８】
2014107735.tif 000010
【図９】
2014107735.tif 000011
【図１０】
2014107735.tif 000012
【図１１】
2014107735.tif 000013
【図１２】
2014107735.tif 000014
【図１３】
2014107735.tif 000015
【図１４】
2014107735.tif 000016
【図１５】
2014107735.tif 000017
【図１６】
2014107735.tif 000018
【図１７】
2014107735.tif 000019
【図１８】
2014107735.tif 000020
【図１９】
2014107735.tif 000021
【図２０】
2014107735.tif 000022